(57)【要約】【課題】通信パケットの滞留をテストコントローラへと通知する。【解決手段】被試験デバイスを試験する試験装置であって、被試験デバイスとの間で信号を伝送して被試験デバイスを試験するテストモジュールと、テストモジュールを制御するテストコントローラと、テストモジュールおよびテストコントローラの間で通信パケットを転送するネットワークと、を備え、テストモジュールおよびネットワークの少なくとも一方は、通信パケットをバッファリングする通信バッファの使用状態を示す使用状態パケットを、テストコントローラへと送信する試験装置を提供する。【選択図】図２
2011137808.tif 000002
【特許請求の範囲】
【請求項１】
被試験デバイスを試験する試験装置であって、
前記被試験デバイスとの間で信号を伝送して前記被試験デバイスを試験するテストモジュールと、
前記テストモジュールを制御するテストコントローラと、
前記テストモジュールおよび前記テストコントローラの間で通信パケットを転送するネットワークと、
を備え、
前記テストモジュールおよび前記ネットワークの少なくとも一方は、前記通信パケットをバッファリングする通信バッファの使用状態を示す使用状態パケットを、前記テストコントローラへと送信する
試験装置。
【請求項２】
前記テストモジュールおよび前記ネットワークの少なくとも一方は、前記通信バッファの空き容量が予め定められた基準容量未満となったことを示す前記使用状態パケットを、前記テストコントローラへと送信する請求項１に記載の試験装置。
【請求項３】
前記テストモジュールおよび前記ネットワークの少なくとも一方は、前記通信バッファの空き容量が予め定められた基準容量以上となったことを示す前記使用状態パケットを前記テストコントローラへと送信する請求項１に記載の試験装置。
【請求項４】
前記テストモジュールおよび前記ネットワークは、前記被試験デバイスの試験において前記テストコントローラおよび前記テストモジュールとの間で通信する通常の通信パケットをバッファリングする通信バッファをバイパスして前記使用状態パケットを転送する請求項１から３の何れか１項に記載の試験装置。
【請求項５】
前記テストコントローラは、前記テストモジュールおよび前記ネットワークの少なくとも一方が有する通信バッファに通信パケットが滞留していることを示す前記使用状態パケットを受け取ったことに応じて、当該通信バッファをバイパスする緊急パケットを当該通信バッファの下流に位置する回路へと送信して、当該回路の障害検出および障害復旧の少なくとも一方を実行する請求項４に記載の試験装置。
【請求項６】
前記テストコントローラは、受信した前記使用状態パケットを順次にメモリに保存する請求項１から５の何れか１項に記載の試験装置。
【請求項７】
前記テストコントローラは、受信した前記使用状態パケットを、当該試験装置の電源をオフとしても記憶内容が失われない前記メモリに保存する請求項６に記載の試験装置。
【請求項８】
前記テストコントローラは、前記テストモジュールおよび前記ネットワークの各部から送信された前記使用状態パケットに基づいて、前記通信パケットが滞留している通信バッファを特定する請求項１から７の何れか１項に記載の試験装置。
【請求項９】
被試験デバイスを試験する試験装置における試験方法であって、
前記試験装置は、
前記被試験デバイスとの間で信号を伝送して前記被試験デバイスを試験するテストモジュールと、
前記テストモジュールを制御するテストコントローラと、
前記テストモジュールおよび前記テストコントローラの間で通信パケットを転送するネットワークと、
を備え、
前記テストモジュールおよび前記ネットワークの少なくとも一方が、前記通信パケットをバッファリングする通信バッファの使用状態を示す使用状態パケットを、前記テストコントローラへと送信する
試験方法。
【発明の詳細な説明】
【技術分野】
【０００１】
本発明は、試験装置および試験方法に関する。
【背景技術】
【０００２】
送信装置から受信装置へのアクセス要求をパケット化して伝送するシステムが知られている。例えば、被試験デバイスを試験する試験システムにおいても、制御装置からテストモジュールへのアクセス要求をパケット化して伝送する場合がある。
【０００３】
特許文献１  特開平０８−１８４６４８号公報
特許文献２  特開２００５−２６５６３０号公報
特許文献３  特開２００７−４７００８号公報
特許文献４  ＷＯ２００８／０４４４２１号パンフレット
【発明の概要】
【発明が解決しようとする課題】
【０００４】
ところで、このような試験システムにおいては、伝送経路の一部分でパケットが滞留した場合、アクセス要求を制御装置からテストモジュールへ伝送できなくなる。このような場合、システム全体をリセットしなければならなく、復旧に時間がかかる。また、制御装置側からテストモジュールへのアクセスができないので、滞留している要因を解析することも困難である。
【課題を解決するための手段】
【０００５】
上記課題を解決するために、本発明の第１の態様においては、被試験デバイスを試験する試験装置であって、前記被試験デバイスとの間で信号を伝送して前記被試験デバイスを試験するテストモジュールと、前記テストモジュールを制御するテストコントローラと、前記テストモジュールおよび前記テストコントローラの間で通信パケットを転送するネットワークと、を備え、前記テストモジュールおよび前記ネットワークの少なくとも一方は、前記通信パケットをバッファリングする通信バッファの使用状態を示す使用状態パケットを、前記テストコントローラへと送信する試験装置、および、試験方法を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】図１は、本発明の実施形態に係る試験装置１０の構成を示す。
【図２】図２は、本発明の実施形態に係るテストモジュール２０、テストコントローラ２２およびネットワーク２４のそれぞれの構成の一例を示す。
【図３】図３は、本発明の実施形態に係る試験装置１０において、テストモジュール２０およびネットワーク２４からテストコントローラ２２へと送信される使用状態パケットの経路の一例を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る試験装置１０の構成を被試験デバイス２００とともに示す。試験装置１０は、少なくとも１つの被試験デバイス２００を試験する。試験装置１０は、少なくとも１つのテストモジュール２０と、テストコントローラ２２と、ネットワーク２４と、制御部２６と、ハブ２８とを備える。
【００１０】
テストモジュール２０は、被試験デバイス２００との間で信号を伝送して被試験デバイス２００を試験する。テストモジュール２０は、一例として、被試験デバイス２００に対して試験パターンに応じた波形の試験信号を供給し、被試験デバイス２００からの応答信号と期待値パターンに応じた論理値と比較して被試験デバイス２００の良否を判定する。
【００１１】
また、各テストモジュール２０は、ネットワーク２４を介してテストコントローラ２２と通信パケットを授受する。各テストモジュール２０は、一例として、アクセス要求を含む通信パケットをテストコントローラ２２から受け取る。また、各テストモジュール２０は、一例として、アクセス要求に対する応答およびデータまたは割込要求等を含む通信パケットをテストコントローラ２２へ送信する。
【００１２】
テストコントローラ２２は、ネットワーク２４を介して各テストモジュール２０と通信パケットを授受することにより、各テストモジュール２０を制御する。テストコントローラ２２は、一例として、制御するべきテストモジュール２０に対して、アクセス要求を含む通信パケットを送信する。また、テストコントローラ２２は、一例として、アクセス要求に対する応答およびデータまたは割込要求等を含む通信パケットを各テストモジュール２０から受け取る。テストコントローラ２２は、一例として、コンピュータにより実現される。
【００１３】
ネットワーク２４は、テストモジュール２０およびテストコントローラ２２の間で通信パケットを転送する。即ち、ネットワーク２４は、テストコントローラ２２と各テストモジュール２０との間に伝送される通信パケットを中継する。ネットワーク２４は、一例として、テストコントローラ２２から受け取った通信パケットを、当該通信パケットのヘッダ等に記述された識別情報に示されたテストモジュール２０へと転送する。また、ネットワーク２４は、一例として、何れかのテストモジュール２０から受け取った通信パケットを、テストコントローラ２２へと転送する。
【００１４】
制御部２６は、当該試験装置１０の全体を制御する。制御部２６は、一例として、ワークステーション等の外部のコンピュータおよび記憶装置等から試験に用いるプログラムを取得し、または、ユーザからの入力によりプログラムを取得する。そして、制御部２６は、試験に応じた制御命令および／またはプログラムを、ハブ２８を介してテストコントローラ２２に送信する。
【００１５】
ハブ２８は、制御部２６とテストコントローラ２２とを通信可能に接続する。ハブ２８は、例えば、汎用のまたは専用の高速シリアルバス等を介して中継する。
【００１６】
図２は、本実施形態に係るテストモジュール２０、テストコントローラ２２およびネットワーク２４のそれぞれの構成の一例を示す。各テストモジュール２０は、一例として、テスト部３２と、通信部４０とを有する。テスト部３２は、当該テストモジュール２０に接続された被試験デバイス２００を試験する。テストモジュール２０内の通信部４０は、ネットワーク２４との間で通信パケットの送受信を行う。
【００１７】
テストコントローラ２２は、ＣＰＵ３４と、メモリ３６と、通信部４０とを有する。ＣＰＵ３４は、プログラムを実行して、各テストモジュール２０を制御する。メモリ３６は、電源をオフしても記憶内容を失わない不揮発性のメモリであって、ＣＰＵ３４によりデータの書き込みおよび読み出しがされる。テストコントローラ２２内の通信部４０は、ネットワーク２４との間で通信パケットの送受信を行う。
【００１８】
ネットワーク２４は、スイッチマトリックス３８と、複数の通信部４０とを有する。スイッチマトリックス３８は、複数のポートを有し、何れかのポートに入力された通信パケットを、当該通信パケットのヘッダ等に記述された識別情報に対応したポートから出力させる。ネットワーク２４内の複数の通信部４０のそれぞれは、スイッチマトリックス３８の各ポートのそれぞれに対応して接続される。ネットワーク２４内の複数の通信部４０のそれぞれは、テストコントローラ２２または少なくとも１つのテストモジュール２０の何れかと通信パケットの送受信を行う。
【００１９】
このようなネットワーク２４は、テストコントローラ２２から入力された通信パケットを、当該通信パケットに記述された識別情報のテストモジュール２０へと送信することができる。また、ネットワーク２４は、何れかのテストモジュール２０から入力された通信パケットを、テストコントローラ２２へと送信することができる。
【００２０】
ここで、各テストモジュール２０、テストコントローラ２２およびネットワーク２４のそれぞれが有する通信部４０は、通信バッファ４２と、バイパス経路４４と、通信制御部４６と、切替部４８とを含む。通信バッファ４２は、被試験デバイス２００の試験においてテストコントローラ２２およびテストモジュール２０との間で通信する通常の通信パケットをバッファリングする。
【００２１】
通信バッファ４２は、一例として、ＦＩＦＯ（Ｆｉｒｓｔ  Ｉｎ  Ｆｉｒｓｔ  ＯＵＴ）バッファである。即ち、通信バッファ４２は、上流側から受信した通信パケットを記憶し、記憶している通信パケットを受信順に下流側へと送信する。このような通信バッファ４２は、上流側の回路と通信バッファ４２との間のデータ転送速度と、下流側の回路と通信バッファ４２との間のデータ転送速度と差を吸収して、各テストモジュール２０、テストコントローラ２２およびネットワーク２４のそれぞれを安定して動作させることができる。
【００２２】
バイパス経路４４は、上流側から受信した通信パケットを通信バッファ４２をバイパスさせて、下流側へと転送する。バイパス経路４４は、通信パケットを通信バッファ４２によりバッファリングさせずに、または、通信バッファ４２のエントリ数より小さいエントリ数のバッファでバッファリングして、通信パケットを転送する。
【００２３】
通信制御部４６は、通信バッファ４２の使用状態を監視する。そして、通信制御部４６は、通信パケットをバッファリングする通信バッファ４２の使用状態を示す使用状態パケットを、テストコントローラ２２へと送信する。通信制御部４６は、一例として、通信バッファ４２の空き容量を監視して、空き容量が予め定められた容量未満となった場合に、使用状態パケットをテストコントローラ２２へと送信する。
【００２４】
切替部４８は、上流側から受信した通信パケットを、通信バッファ４２にバッファリングさせた後に下流側に送信するか、通信バッファ４２をバイパスして即ちバイパス経路４４を経由して下流側に送信するかを切り替える。例えば、切替部４８は、被試験デバイス２００の試験においてテストコントローラ２２およびテストモジュール２０との間で通信する通常の通信パケットを受信した場合、受信した通信パケットを通信バッファ４２にバッファリングさせた後に下流側に送信させる。
【００２５】
また、切替部４８は、障害発生時において通信される通常以外の通信パケットを受信した場合には、当該通常以外の通信パケットを通信バッファ４２をバイパスさせて、即ち、バイパス経路４４を経由して下流側に送信させる。例えば、切替部４８は、使用状態パケットを受信した場合には、当該使用状態パケットを通信バッファ４２をバイパスさせて下流側に送信させる。また、例えば、切替部４８は、何れかの回路で障害が発生したことに応じてテストコントローラ２２から送信される緊急パケットを受信した場合には、当該緊急パケットを通信バッファ４２をバイパスさせて下流側に送信させる。
【００２６】
図３は、本実施形態に係る試験装置１０において、テストモジュール２０およびネットワーク２４からテストコントローラ２２へと送信される使用状態パケットの経路の一例を示す。試験装置１０において、一のテストモジュール２０およびネットワーク２４内の何れかの回路において障害が発生したとする。この場合、障害が発生した回路において通信パケットの処理が進まなくなるので、障害が発生した回路の上流側の通信バッファ４２に通信パケットが滞留する。
【００２７】
そして、障害が発生した回路の上流側の通信バッファ４２は、通信パケットの滞留が長引くと、空き容量が少なくなりオーバーフローをしてしまう。そこで、テストモジュール２０およびネットワーク２４の少なくとも一方が有する通信部４０のそれぞれは、以下のような処理を行う。
【００２８】
通信部４０内の通信制御部４６は、試験時において、当該通信部４０内の通信バッファ４２の空き容量が予め定められた基準容量未満となったか否かを監視する。そして、通信制御部４６は、通信バッファ４２の空き容量が予め定められた基準容量未満となった場合、通信バッファ４２の空き容量が予め定められた基準容量未満となったことを示す使用状態パケットを、テストコントローラ２２へと送信する。これにより、テストモジュール２０およびネットワーク２４は、例えば下流側の回路において障害が発生して、通信パケットが通信バッファ４２に滞留していることをテストコントローラ２２に通知することができる。
【００２９】
また、通信部４０内の通信制御部４６は、通信バッファ４２の空き容量が予め定められた基準容量未満となった後に、予め定められた基準容量以上となった場合、通信バッファ４２の空き容量が予め定められた基準容量以上となったことを示す使用状態パケットをテストコントローラ２２へと送信してもよい。これにより、テストモジュール２０およびネットワーク２４は、例えば下流側の回路において発生した障害が回復して、通信パケットが通信バッファ４２に滞留していないことをテストコントローラ２２に通知することができる。
【００３０】
なお、通信部４０内の通信制御部４６は、使用状態パケットに当該通信部４０を識別する識別情報を含めてもよい。これにより、テストモジュール２０およびネットワーク２４は、複数の通信部４０のうちの何れにおいて、通信バッファ４２に通信パケットが滞留したしたのかまたは回復したかを、テストコントローラ２２に通知することができる。
【００３１】
また、通信部４０内の切替部４８は、上流側から使用状態パケットを受信した場合には、通信バッファ４２をバイパスして使用状態パケットを転送する。即ち、通信部４０内の切替部４８は、使用状態パケットを受け取った場合には、当該使用状態パケットをバイパス経路４４を経由して下流側へと送信する。これにより、テストモジュール２０およびネットワーク２４は、使用状態パケットを通信バッファ４２に滞留させず短時間で且つ確実にテストコントローラ２２に転送することができる。
【００３２】
また、テストモジュール２０およびネットワーク２４の各部から送信された使用状態パケットを受け取ったテストコントローラ２２は、以下のような処理を行う。テストコントローラ２２のＣＰＵ３４は、通信バッファ４２に通信パケットが滞留していることを示す使用状態パケットを受け取った場合、当該使用状態パケットに基づいて、通信パケットが滞留している通信バッファ４２を特定する。ＣＰＵ３４は、一例として、受け取った使用状態パケットのヘッダ等に記述された識別情報に基づき、通信パケットが滞留している通信バッファ４２を特定する。これにより、テストコントローラ２２は、通信パケットの滞留の要因となっている回路の位置を特定することができる。
【００３３】
また、テストコントローラ２２のＣＰＵ３４は、通信バッファ４２に通信パケットが滞留していることを示す使用状態パケットを受け取ったことに応じて、当該通信バッファ４２をバイパスする緊急パケットを当該通信バッファ４２の下流に位置する回路へと送信して、当該回路の障害検出および障害復旧の少なくとも一方を実行する。
【００３４】
ＣＰＵ３４は、一例として、通信バッファ４２が滞留していることを示す使用状態パケットを送信した通信部４０の下流に位置する回路に対して、障害の内容をテストコントローラ２２へと応答させるアクセス要求を含む緊急パケットを送信する。そして、このような緊急パケットを受信した回路は、障害の内容を示す応答を含む緊急パケットをテストコントローラ２２へと送信する。これにより、テストコントローラ２２は、通信バッファ４２に通信パケットが滞留した要因を特定することができる。
【００３５】
また、ＣＰＵ３４は、一例として、通信バッファ４２が滞留していることを示す使用状態パケットを送信した通信部４０の下流に位置する回路に対して、障害を復旧させるためのリセット要求を含む緊急パケットを送信する。そして、このような緊急パケットを受信した回路は、当該回路を局所的にリセットする。これにより、テストコントローラ２２は、通信バッファ４２に通信パケットが滞留した要因の回路を局所的にリセットして復旧させることができる。
【００３６】
なお、ネットワーク２４および各テストモジュール２０のそれぞれの通信部４０内の切替部４８は、このような緊急パケットを受信した場合には、通信バッファ４２をバイパスして下流側に転送する。これにより、ネットワーク２４および各テストモジュール２０は、テストコントローラ２２と障害が発生している回路との間で緊急パケットを確実且つ早急に転送することができる。
【００３７】
また、テストコントローラ２２のＣＰＵ３４は、通信バッファ４２が滞留していることを示す使用状態パケットを受け取った場合、受け取った使用状態パケットを順次に当該試験装置１０の電源をオフとしても記憶内容が失われないメモリ３６に保存する。これにより、テストコントローラ２２は、何れかの回路において障害が発生して電源をオフしなければならない状態となった場合であっても、電源を回復した後において、メモリ３６に保存された使用状態パケットを読み出すことにより、障害発生した回路等を特定することができる。
【００３８】
以上のように本実施形態に係る試験装置１０によれば、通信パケットを伝送する経路の一部において通信パケットが滞留した場合、滞留の要因および位置をテストコントローラ２２へと通知することができる。また、このような試験装置１０によれば、滞留の要因となる回路の障害を局所的に復旧させることができる。即ち、試験装置１０によれば、システム全体をリセットさせずに復旧ができるので、復旧時間を短縮することができる。
【００３９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４０】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４１】
１０  試験装置
２０  テストモジュール
２２  テストコントローラ
２４  ネットワーク
２６  制御部
２８  ハブ
３２  テスト部
３４  ＣＰＵ
３６  メモリ
３８  スイッチマトリックス
４０  通信部
４２  通信バッファ
４４  バイパス経路
４６  通信制御部
４８  切替部
２００  被試験デバイス
【図１】
2011137808.tif 000003
【図２】
2011137808.tif 000004
【図３】
2011137808.tif 000005
【手続補正書】
【提出日】平成23年3月10日(2011.3.10)
【手続補正１】
【補正対象書類名】特許請求の範囲
【補正対象項目名】全文
【補正方法】変更
【補正の内容】
【特許請求の範囲】
【請求項１】
被試験デバイスを試験する試験装置であって、
前記被試験デバイスとの間で信号を伝送して前記被試験デバイスを試験するテストモジュールと、
前記テストモジュールを制御するテストコントローラと、
前記テストモジュールおよび前記テストコントローラの間で通信パケットを転送するネットワークと、
を備え、
前記テストモジュールおよび前記ネットワークの少なくとも一方は、前記通信パケットをバッファリングする通信バッファの使用状態を示す使用状態パケットを、前記テストコントローラへと送信し、
前記テストコントローラは、前記テストモジュールおよび前記ネットワークの少なくとも一方が有する通信バッファに通信パケットが滞留していることを示す前記使用状態パケットを受け取ったことに応じて、当該通信バッファをバイパスする緊急パケットを当該通信バッファの下流に位置する回路へと送信して、当該回路の障害検出および障害復旧の少なくとも一方を実行する
試験装置。
【請求項２】
前記テストモジュールは、前記ネットワークとの間で通信パケットの送受信を行う通信部を有し、
前記ネットワークは、前記テストコントローラおよび前記テストモジュールの何れかと通信パケットの送受信を行う複数の通信部を有し、
各前記テストモジュールおよび前記ネットワークのそれぞれが有する通信部は、
前記被試験デバイスの試験において前記テストコントローラおよび前記テストモジュールとの間で通信する通常の通信パケットをバッファリングする通信バッファと、
前記通信バッファをバイパスさせるバイパス経路と
を含む請求項１に記載の試験装置。
【請求項３】
前記テストモジュールおよび前記ネットワークの少なくとも一方は、前記通信バッファの空き容量が予め定められた基準容量未満となったことを示す前記使用状態パケットを、前記テストコントローラへと送信する請求項１又は２に記載の試験装置。
【請求項４】
前記テストモジュールおよび前記ネットワークの少なくとも一方は、前記通信バッファの空き容量が予め定められた基準容量以上となったことを示す前記使用状態パケットを前記テストコントローラへと送信する請求項１又は２に記載の試験装置。
【請求項５】
前記テストモジュールおよび前記ネットワークは、前記被試験デバイスの試験において前記テストコントローラおよび前記テストモジュールとの間で通信する通常の通信パケットをバッファリングする通信バッファをバイパスして前記使用状態パケットを転送する請求項１から４の何れか１項に記載の試験装置。
【請求項６】
前記テストコントローラは、受信した前記使用状態パケットを順次にメモリに保存する請求項１から５の何れか１項に記載の試験装置。
【請求項７】
前記テストコントローラは、受信した前記使用状態パケットを、当該試験装置の電源をオフとしても記憶内容が失われない前記メモリに保存する請求項６に記載の試験装置。
【請求項８】
前記テストコントローラは、前記テストモジュールおよび前記ネットワークの各部から送信された前記使用状態パケットに基づいて、前記通信パケットが滞留している通信バッファを特定する請求項１から７の何れか１項に記載の試験装置。
【請求項９】
被試験デバイスを試験する試験装置における試験方法であって、
前記試験装置は、
前記被試験デバイスとの間で信号を伝送して前記被試験デバイスを試験するテストモジュールと、
前記テストモジュールを制御するテストコントローラと、
前記テストモジュールおよび前記テストコントローラの間で通信パケットを転送するネットワークと、
を備え、
前記テストモジュールおよび前記ネットワークの少なくとも一方が、前記通信パケットをバッファリングする通信バッファの使用状態を示す使用状態パケットを、前記テストコントローラへと送信し、
前記テストコントローラは、前記テストモジュールおよび前記ネットワークの少なくとも一方が有する通信バッファに通信パケットが滞留していることを示す前記使用状態パケットを受け取ったことに応じて、当該通信バッファをバイパスする緊急パケットを当該通信バッファの下流に位置する回路へと送信して、当該回路の障害検出および障害復旧の少なくとも一方を実行する
試験方法。
【請求項１０】
前記テストモジュールは、前記ネットワークとの間で通信パケットの送受信を行う通信部を有し、
前記ネットワークは、前記テストコントローラおよび前記テストモジュールの何れかと通信パケットの送受信を行う複数の通信部を有し、
各前記テストモジュールおよび前記ネットワークのそれぞれが有する通信部は、
前記被試験デバイスの試験において前記テストコントローラおよび前記テストモジュールとの間で通信する通常の通信パケットをバッファリングする通信バッファと、
前記通信バッファをバイパスさせるバイパス経路と
を含む請求項９に記載の試験方法。
【手続補正２】
【補正対象書類名】明細書
【補正対象項目名】０００５
【補正方法】変更
【補正の内容】
【０００５】
上記課題を解決するために、本発明の第１の態様においては、被試験デバイスを試験する試験装置であって、前記被試験デバイスとの間で信号を伝送して前記被試験デバイスを試験するテストモジュールと、前記テストモジュールを制御するテストコントローラと、前記テストモジュールおよび前記テストコントローラの間で通信パケットを転送するネットワークと、を備え、前記テストモジュールおよび前記ネットワークの少なくとも一方が、前記通信パケットをバッファリングする通信バッファの使用状態を示す使用状態パケットを、前記テストコントローラへと送信し、前記テストコントローラは、前記テストモジュールおよび前記ネットワークの少なくとも一方が有する通信バッファに通信パケットが滞留していることを示す前記使用状態パケットを受け取ったことに応じて、当該通信バッファをバイパスする緊急パケットを当該通信バッファの下流に位置する回路へと送信して、当該回路の障害検出および障害復旧の少なくとも一方を実行する試験装置、および、試験方法を提供する。